(57)【要約】【課題】古来から、数リットル程度（小量）の容器５に保存の液体２を開封して、必要な量を注ぎ出し、再び密封保存しても、容器５内に残った液体面２に流れ込んだ外気４と液体面２との接触で劣化の促進を早める課題があり尚、近年発売されている、数リットル程度（小量）の袋状の容器では、容器の収縮作用で液体２を必要量吐出させ、容器内には外気４が侵入せず残液体２の劣化は遅延するが、古来からの世界的な、瓶による液体の保存の安定感や、陳列の美観の良き伝統文化を損ねる大きな違和感がある。【解決手段】上述の、古来からの液体２と瓶詰め形態の良き文化はそのままに、容器５を開封して必要に応じた液体２量を注ぎ出した後に残る液面２の変化した位置に即応して該、浮遊集合体１で液体２を覆い、劣化を遅延するが尚、浮遊集合体１相互の接触面間に毛細現象の効果で液体２と外気４の遮断効率を更に高めて、劣化の遅延する構成手段を講じた。【選択図】図１
2013119434.tif 000002
【特許請求の範囲】
【請求項１】
開封された容器５内の液体２の時間経過で生じる外気４との接触面からの劣化を、遅延する為に、複数個の浮遊体１で液体面２を覆い、外気４を遮断する構成を特徴とする浮遊集合体１。
【請求項２】
前記容器５内の液体面２に、浮遊体１を充填した容器５を開封して、必要量の液体２を注ぎ出した後に容器５内に残液面２が生じ、その残液面２の位置変化に対応して、請求項１に記載の浮遊体１が液体面２を覆い、外気４を遮断する構成を特徴とする浮遊集合体１。
【請求項３】
本発明の、浮遊体１を施していない容器５も開封して必要量の液体２を注ぎ出して容器５内に残液面２が生じた場合、前記請求項１に記載の浮遊体１を充填（投入）が可能なことを特徴とする、前記請求項１の浮遊集合体１の使用方法。
【発明の詳細な説明】
【技術分野】
【０００１】  本発明は瓶・ペットボトル等、液体数リットル程度の（少量）充填容器（以下容器と言う）を開封して、一部の液体２を注ぎ出した後の、容器に残る液体の劣化の遅延・軽減に関するものである。
【背景技術】
【０００２】  従来から、例えば液体調味料のしょうゆ等（以下液体と言う）を容器に詰めてる工程で殺菌等の処理をして、密封（以下密封と言う）することにより、開封までは液体と外気を遮断して、酸化・腐敗等の劣化を防いで賞味期限内の保存に大きく貢献している。
【非特許文献】
【０００３】  ヤマサ・キッコーマン等しょうゆ等のメーカーが販売している防水性の柔軟な袋状容器に、収納・保管することにより、開封して使用する必要の液体量を吐出すると、その分容器が収縮して、外気は入らず液体に触れる事ないので、劣化の遅延の効果を達成している。
【発明の概要】
【発明が解決しようとする課題】
【０００４】  しかしながら、上述［０００２］のような従来からの容器保存方法の密封状態で容器内の液体は外気遮断され、賞味期限内の品質保存（以下保存と言う）ができるが、一度開封して使用後の残液体に、窒素・酸素等内の様々な雑菌が混入した空気・外気が、（以下外気と言う）容器に充満し、その外気と液面の接触により酸化・腐敗・変色・味覚等の劣化（以下劣化と言う）促進が早まる課題がある。【０００５】  従って一度開封し、液体の残った容器に再度ふたをしても、外気も封じ込まれ劣化の促進防止には効果が無い課題がある。【０００６】  上記提案［０００３］の袋状柔軟な容器では、必要量の液体を容器外部を押す等で液体の吐出分容器が収縮して、該容器内には外気が入らないので、液体の劣化を遅延・軽減する効果はあるが、古来から伝わる液体を保存・保管するための容器の、良き世界的な伝統文化や景観的な陳列の美観・安定性等を損ねてしまう大きな違和感や、容器を手で掴む・握ると液体が吐出してしまう等の課題がある。【０００７】  特別な一例に、調味料のしょうゆは開封して一度開封すると、液体面に上述の様に外気が入り込み劣化が促進して、絞り立て本来の色・味覚が損なわれる課題がある。
【課題を解決するための手段】
【０００８】  本発明は、（以下符号に基き説明する）開封後の容器５内の残液体２が、時間の経過で生じる外気４との接触液面２からの、劣化を遅延・軽減（以下遅延と言う）するたのに、顆粒状の弾けない泡状態をなす複数個の浮遊集合体１（以下浮遊体と言う）で液体面２を覆い、外気４を遮断する構成手段を講じた。【０００９】  前記容器５内液体面２に、浮遊体１を充填した容器５を開封して、必要量の液体２を注ぎ出した後の、容器５内に残液２が生じた場合、その残液面２の位置変化に対応して、浮遊体１が液体面２を覆い、外気４を遮断する構成手段を講じた。【００１０】  本発明の、浮遊体１を施していない容器５も開封して、必要量の液体２を注ぎ出して容器５内に残液面２が生じた場合、前記説明の浮遊体１を充填（投入）可能な、使用方法手段を講じた。
【発明の効果】
【００１１】  容器５の開封後も、常に液体面２上に浮遊する浮遊体１の、接触相互間に生じる毛細現象により液体２と外気４の遮断を、更に高める効果がある。【００１２】  上記の形態の浮遊体１で液面２を覆い、外気４と遮断することで、液体２の劣化を遅延する結果がある。【００１３】  例えば、醸造に因る調味料のしょうゆ等は容器５のふた６を開封後の、使い残しの液体２も外気４にさらされる事なく、絞り立てそのままの良好な状態で、ジュース等も新鮮なまま残液体２の劣化の遅延する効果があり更に、残液体２の劣化を防止する為の添加物も削減できる効果がある。【００１４】  本発明の機能を施していない密封容器５を開封して、その後に残る残液面２に浮遊体１を充填し、液体面２を覆い劣化を遅延の効果も同じである。【００１５】  本発明の液体２の劣化の遅延の為の浮遊体１を施した容器５と、何も対策を施していない容器５を、開封して時間の経過の観察による比較実験の結果、液体２の明らかな劣化の進行差が認められた。【００１６】  上述の様な手段で、賞味期限が延期されて、液体２が良好な状態で最後の一滴まで使用出来る、経済的な優れた効果の浮遊体１と、その使用方法を安価に提供するものてある。
【図面の簡単な説明】
【００１７】
【図１】本発明の密封容器内の状態を示す側断面図である。
【図２】開封して必要量の液体を注ぎ出した残面の位置の変化を示す側断面図である。
【図３】本発明の符号で示す網３、ａは図１のＡ←→Ａ浮遊体の断面図、ｂは図２のＢ←→Ｂの浮遊体の平面を示す図である。
【図４】容器を傾け液体を注ぎ出す過程の浮遊体の位置を示す側断面図である。
【発明を実施するための形態】
【００１８】  本発明は、液体２を約数リットル程度の（小量に）収納して、輸送や保管のために図１に示す様に、液体２を容器５に詰めると共に、浮遊体１を充填して密封するものであり、次に容器５を開封して必要量の液体２を注ぎ出して残液面２が生じる場合、図２に示すように、図１から図２に水位が下がり、変化した液面積を充分に覆う浮遊体１を設けている。
【実施例】
【００１９】  本発明の（一実施例を下記に記載する）機能を施していない容器５を開封して、液体２を必要量注ぎ出した後の容器５内の残液面２や、しょう油注等の気密性の無い容器にも、浮遊体１を別途充填が可能で、残液体２を覆うものである。【００２０】  上述の浮遊体１の品質素材は、液体２に浮く樹脂等の２〜３ｍｍ程度のほぼ球状をなす顆粒体で形成されている。【００２１】  前記液体２の劣化の遅延を更に効率を高める為に、浮遊体１に光り触媒等の抗菌機能を施す事が肝要である。【００２２】浮遊体１が液体２と気体４の相互の接触面に毛細現象が生じて、効率良く遮断する為に、浮遊体１を少なくとも、数層（約２〜３層）重なって覆う様に充填するものてある。【００２３】  液体２を注ぎ出す際に、浮遊体１も共に流出するのを防ぐために、容器５の注ぎ口に網３を設ける構成を講じた。
【符号の説明】
【００２４】１  浮遊集合体
２  液・液体・液体面
３  網
４  外気
５  瓶等容器
６  キャップ等ふた
【図１】
2013119434.tif 000003
【図２】
2013119434.tif 000004
【図３】
2013119434.tif 000005
【図４】
2013119434.tif 000006
【手続補正書】
【提出日】平成24年2月14日(2012.2.14)
【手続補正１】
【補正対象書類名】明細書
【補正対象項目名】００２１
【補正方法】変更
【補正の内容】
【００２１】  前記液体２の（特に酸化・腐敗）劣化の遅延を更に高める為に、触媒の抗菌機能等を施す事も肝要である。